(57)【要約】【課題】地上アナログテレビ放送が終了した後も、ビデオテープレコーダや、ゲーム機等の機器がＲＦ接続で使用でき、且つユーザの使い勝手を低下させることがないセットトップボックスを提供する。【解決手段】ＳＴＢ３は、作成するチャンネルマップの種類を示す操作信号の入力をリモコン６から受け付ける。ＳＴＢ３は、操作信号に応じて、地上デジタルテレビ放送の全チャンネルと地上アナログテレビ放送の全チャンネルとを使用しているか否かを調べるか、地上デジタルテレビ放送の全チャンネルと地上アナログテレビ放送の一部のチャンネル（ビデオ入力用のチャンネル）とを使用しているか否かを調べるか、地上デジタルテレビ放送の全チャンネルを使用しているか否かを調べる。そして、ＳＴＢ３は、使用しているチャンネルをチャンネルマップに登録していく。【選択図】  図１
2010187154.tif 000002
【特許請求の範囲】
【請求項１】
地上アナログテレビ放送で使用されているアナログチャンネル、及び地上デジタルテレビ放送で使用されているデジタルチャンネルの中で、選局されているチャンネルを受信する受信手段を備えたセットトップボックスにおいて、
チャンネルアップ及びチャンネルダウン操作に応じて、選局しているチャンネルを切り替えるときに用いるチャンネルマップを記憶するチャンネルマップ記憶手段と、
前記地上アナログテレビ放送で使用されている予め定めた一部のアナログチャンネル、及び前記地上デジタルテレビ放送で使用されている全てのデジタルチャンネルを対象チャンネルとし、対象チャンネル毎に受信信号の有無を検知する第１の検知手段と、
前記第１の検知手段が受信信号を検知した対象チャンネルのみを登録したチャンネルマップを生成するチャンネルマップ生成手段と、
前記チャンネルマップ生成手段がチャンネルマップを生成する毎に、前記チャンネルマップ記憶手段が記憶しているチャンネルマップを、今回生成されたチャンネルマップに更新するチャンネルマップ更新手段と、を備えたセットトップボックス。
【請求項２】
前記地上デジタルテレビ放送で使用されている全てのデジタルチャンネルを対象チャンネルとし、対象チャンネル毎に受信信号の有無を検知する第２の検知手段と、
前記地上アナログテレビ放送で使用されている全てのアナログチャンネル、及び前記地上デジタルテレビ放送で使用されている全てのデジタルチャンネルを対象チャンネルとし、対象チャンネル毎に受信信号の有無を検知する第３の検知手段と、
前記第１の検知手段、前記第２の検知手段、又は前記第３の検知手段のいずれか１つを選択する選択手段と、を備え、
前記チャンネルマップ生成手段は、前記選択手段によって選択されている前記第１の検知手段、前記第２の検知手段、又は前記第３の検知手段のいずれかで受信信号を検知した対象チャンネルのみを登録したチャンネルマップを生成する手段である、
請求項１に記載のセットトップボックス。
【請求項３】
前記予め定めた一部のアナログチャンネルは、ＲＦ接続された機器がＡ／Ｖ信号の入力に使用するチャンネルである請求項１又は請求項２に記載のセットトップボックス。
【発明の詳細な説明】
【技術分野】
【０００１】
この発明は、デジタル放送を受信可能なセットトップボックスに関する。
【背景技術】
【０００２】
地上アナログテレビ放送から、地上デジタルテレビ放送への移行に伴い、地上デジタルテレビ放送に対応したセットトップボックスが各種提案されている（例えば、特許文献１参照）。
【０００３】
特許文献１では、地上アナログテレビ放送のチャンネル毎に、受信信号（テレビ放送信号）の有無を検知する。そして、地上アナログテレビ放送の全てのチャンネルで受信信号が検知されないと、地上アナログテレビ放送が終了したと判定し、これ以降、地上アナログテレビ放送のチャンネル選局を無効にする構成が提案されている。
【先行技術文献】
【特許文献】
【０００４】
【特許文献１】特開２００６−２２２７６６号公報
【発明の概要】
【発明が解決しようとする課題】
【０００５】
しかしながら、地上アナログテレビ放送が終了しても、ビデオテープレコーダや、ゲーム機等の機器がＲＦ接続で使用されることがある。この場合、特許文献１に記載されている地上アナログテレビ放送のチャンネル選局を無効にする構成では、これらの機器が使用できなくなる。
【０００６】
一方、地上アナログテレビ放送が終了しても、地上アナログテレビ放送のチャンネル選局を有効にする構成では、チャンネルアップ及びチャンネルダウン操作に応じて、選局しているチャンネルを切り替えるときに用いるチャンネルマップを生成するときに、テレビ放送が行われていない地上アナログテレビ放送の各チャンネルについても、受信信号の有無を検知することになる。このため、チャンネルマップの生成にかかる時間が長く、ユーザの使い勝手を低下させる。
【０００７】
そこで、この発明では、地上アナログテレビ放送が終了した後も、ビデオテープレコーダや、ゲーム機等の機器がＲＦ接続で使用でき、且つユーザの使い勝手を低下させることがないセットトップボックスを提供することを目的とする。
【課題を解決するための手段】
【０００８】
この発明のセットトップボックスは、受信手段が地上アナログテレビ放送で使用されているアナログチャンネル、及び地上デジタルテレビ放送で使用されているデジタルチャンネルの中で、選局されているチャンネルを受信する。すなわち、このセットトップボックスは、地上アナログテレビ放送、及び地上デジタルテレビ放送を受信することができる。
【０００９】
チャンネルマップ記憶手段は、チャンネルアップ及びチャンネルダウン操作に応じて、選局しているチャンネルを切り替えるときに用いるチャンネルマップを記憶する。チャンネルアップ及びチャンネルダウン操作とは、周知のように、チャンネルマップに登録されている、その時点で選局しているチャンネルよりも１つ上（チャンネルアップ時）、又は１つ下（チャンネルダウン時）のチャンネルを選局する操作である。また、受信信号があるチャンネルのみをチャンネルマップに登録し、チャンネルアップ及びチャンネルダウン操作によって受信信号がないチャンネル、すなわちテレビ放送が行われていないチャンネル、が選局されないようにしている。
【００１０】
第１の検知手段が、地上アナログテレビ放送で使用されている予め定めた一部のアナログチャンネル、及び地上デジタルテレビ放送で使用されている全てのデジタルチャンネルを対象チャンネルとし、対象チャンネル毎に受信信号の有無を検知する。ここで、地上アナログテレビ放送で使用されている予め定めた一部のアナログチャンネルは、例えば、ビデオテープレコーダや、ゲーム機等の機器をＲＦ接続で使用するときに用いるチャンネル（例えば、日本では１ｃｈ、及び２ｃｈ、米国では３ｃｈ、及び４ｃｈ）にすればよい。
【００１１】
また、チャンネルマップ生成手段は、第１の検知手段が受信信号を検知した対象チャンネルのみを登録したチャンネルマップを生成する。そして、チャンネルマップ更新手段が、チャンネルマップ生成手段がチャンネルマップを生成する毎に、チャンネルマップ記憶手段が記憶しているチャンネルマップを、今回生成されたチャンネルマップに更新する。
【００１２】
したがって、地上アナログテレビ放送が終了後には、チャンネルマップの生成にかかる時間の短縮が図れる。また、ＲＦ接続で使用しているビデオテープレコーダや、ゲーム機等の機器で使用しているチャンネルもチャンネルマップに登録される。これにより、地上アナログテレビ放送が終了した後も、ビデオテープレコーダや、ゲーム機等の機器がＲＦ接続で使用でき、且つユーザの使い勝手を低下させることがない。
【００１３】
また、上述の第１の検知手段に加えて、以下に示す第２の検知手段、及び第３の検知手段を設けてもよい。
【００１４】
第２の検知手段は、地上デジタルテレビ放送で使用されている全てのデジタルチャンネルを対象チャンネルとし、対象チャンネル毎に受信信号の有無を検知する。また、第３の検知手段は、地上アナログテレビ放送で使用されている全てのアナログチャンネル、及び地上デジタルテレビ放送で使用されている全てのデジタルチャンネルを対象チャンネルとし、対象チャンネル毎に受信信号の有無を検知する。そして、第１の検知手段、第２の検知手段、又は第３の検知手段のいずれか１つを選択する選択手段を設けるとともに、チャンネルマップ生成手段を、選択手段によって選択されている第１の検知手段、第２の検知手段、又は第３の検知手段のいずれかで受信信号を検知した対象チャンネルのみを登録したチャンネルマップを生成する構成としてもよい。
【００１５】
このようにすれば、ビデオテープレコーダや、ゲーム機等の機器をＲＦ接続で使用しないユーザは、地上アナログテレビ放送の終了後、第２の検知手段を選択することにより、チャンネルマップの生成にかかる時間が一層短縮できる。また、地上アナログテレビ放送が終了していないときには、第３の検知手段を選択することによって、地上アナログテレビ放送が行われているチャンネルについてもチャンネルマップに登録することができる。
【００１６】
したがって、各ユーザが、自分の使用環境や、地上アナログテレビ放送の有無に応じてチャンネルマップを作成することができる。
【発明の効果】
【００１７】
この発明によれば、地上アナログテレビ放送が終了した後も、ビデオテープレコーダや、ゲーム機等の機器がＲＦ接続で使用でき、且つユーザの使い勝手を低下させることがない。
【図面の簡単な説明】
【００１８】
【図１】セットトップボックスの機能、構成を示すブロック図である。
【図２】各チャンネルに割り当てられた周波数帯域が登録されてテーブルの一例である。
【図３】チャンネルマップの一例である。
【図４】チャンネルマップの作成時の処理を示すフローチャートである。
【発明を実施するための形態】
【００１９】
本実施形態に係るセットトップボックス（以下、ＳＴＢと称す。）３について、図１〜図３を参照して説明する。図１は、セットトップボックスの機能、構成を示すブロック図である。図１（Ａ）は、ビデオ使用時の例を示し、図１（Ｂ）は、ビデオ未使用時の例を示す。図２は、各チャンネルに割り当てられた周波数帯域が登録されているテーブルの一例である。図２（Ａ）は、地上アナログテレビ放送用の一例を示し、図２（Ｂ）は、地上デジタルテレビ放送用の一例を示す。図３は、チャンネルマップの一例である。
【００２０】
まず、ＳＴＢ３の使用例について説明する。ビデオ２を使用する場合には、図１（Ａ）に示すように、ＳＴＢ３は、ビデオ２を介して、アンテナ１が受信した地上デジタルテレビ放送や地上アナログテレビ放送を受信する。ＳＴＢ３とビデオ２とは、ＲＦ端子（不図示）を備え、同軸ケーブルを介してＲＦ接続されている。また、ＳＴＢ３は、チャンネルの選局やチャンネルマップの作成等を指示する操作信号をリモコン６から受信して、該操作信号に応じた各種処理を行う。このリモコン６は、操作部（不図示）を備え、ユーザの操作入力によりＳＴＢ３の各種設定等を行うことができる。
【００２１】
また、ビデオ２をＲＦ接続する際に用いるチャンネルは、日本では、地上アナログテレビ放送の１ＣＨ又は２ＣＨであり、米国では、地上アナログテレビ放送の３ＣＨ又は４ＣＨである。以下、地上アナログテレビ放送の１ＣＨ又は２ＣＨを用いてＳＴＢ３とビデオ２とを接続するものとして説明する。
【００２２】
また、ビデオ２を使用しない場合には、図１（Ｂ）に示すように、ＳＴＢ３は、アンテナ１と接続され、アンテナ１が受信した地上デジタルテレビ放送や地上アナログテレビ放送を受信する。
【００２３】
次に、ＳＴＢ３の機能、構成について説明する。ＳＴＢ３は、制御部３０（本発明の選択手段、チャンネルマップ生成手段、チャンネルマップ更新手段に相当する。）、チューナ３１（本発明の受信手段に相当する。）、切替部３２、デジタル処理部３３（本発明の第１の検知手段、第２の検知手段、第３の検知手段に相当する。）、Ｄ／Ａ変換部３４、出力部３５、及びアナログ処理部３６から構成される。
【００２４】
制御部３０は、メモリ（不図示、本発明のチャンネルマップ記憶手段に相当する。）を備え、デジタル用テーブル（図２（Ｂ）参照）、アナログ用テーブル（図２（Ａ）参照）、チャンネルマップ（図３参照）を記憶部に記憶する。図２（Ｂ）に示すデジタル用テーブルは、地上デジタルテレビ放送におけるデジタルチャンネル毎の周波数帯域を記憶するものである。また、図２（Ａ）に示すアナログ用テーブルは、地上アナログテレビ放送におけるアナログチャンネル毎の周波数帯域を記憶するものである。これらのデジタル用テーブル及びアナログ用テーブルは、チャンネルの選局時やチャンネルマップの作成時等に参照される。
【００２５】
また、図３に示すチャンネルマップは、アナログチャンネルとデジタルチャンネルとに分けて、放送局が使用しているチャンネルを昇順又は降順に登録したものである。例えば、チャンネルマップは、チャンネルアップ操作（選局中のチャンネルの１つ上のチャンネルを選局する操作）及びチャンネルダウン操作（選局中のチャンネルの１つ下のチャンネルを選局する操作）に応じて、選局中のチャンネルを切り替える際に参照される。なお、このチャンネルマップは、初期設定を行うまでは、どのチャンネルも登録されておらず、チャンネルマップの作成処理を行うことで、使用されているチャンネルが登録される。また、チャンネルマップは、チャンネルマップの作成処理を行う度に、登録済みチャンネルの全てが削除された後、使用されているチャンネルが再登録される。
【００２６】
また、制御部３０は、リモコン６から受信した操作信号に基づいて、チューナ３１、切替部３２、デジタル処理部３３、及びアナログ処理部３６を制御する機能部である。
【００２７】
チャンネルマップの作成時、制御部３０は、チャンネルマップに登録されている全てのチャンネルを削除するリセット処理を行う。そして、制御部３０は、リモコン６からの操作信号に応じて、デジタル用テーブル及びアナログ用テーブルの少なくとも１方を参照して、各チャンネルが放送局に使用されているか否かを調べる。制御部３０は、放送局が使用しているチャンネルのみをチャンネルマップに登録する。この際、放送局が使用していないチャンネルは、チャンネルマップに登録されない。
【００２８】
チャンネルが使用されているか否かを調べる際の制御部３０の処理について、デジタル１４ＣＨが使用されているか否かを調べる場合を例にあげて説明する。制御部３０は、デジタル用テーブルを参照して、デジタル１４ＣＨに対応する周波数帯域４７６−４８２ＭＨｚを取得する。そして、制御部３０は、周波数帯域４７６−４８２ＭＨｚの受信信号を通過させるようチューナ３１を制御するとともに、デジタル処理部３３にチューナ３１からの受信信号を出力するよう切替部３２を制御する。また、制御部３０は、受信信号の有無をデジタル処理部３３に通知するよう制御する。そして、制御部３０は、受信信号が有る場合に、使用していると判断し、受信信号が無い場合に、使用していないと判断する。
【００２９】
チューナ３１は、アンテナ１から全周波数帯域の受信信号を受信すると、制御部３０から指示された周波数帯域の受信信号のみを通過させて、切替部３２へ出力する。
【００３０】
切替部３２は、チューナ３１から受信信号が入力されると、制御部３０からの指示に基づいて、デジタル処理部３３又はアナログ処理部３６へ受信信号を出力する。この際、地上デジタルテレビ放送の受信信号は、デジタル処理部３３へ出力され、地上アナログテレビ放送の受信信号は、アナログ処理部３６へ出力される。
【００３１】
デジタル処理部３３は、切替部３２から受信信号が入力されると受信信号を復調してデジタル形式の映像信号と音声信号とを取得し、Ｄ／Ａ変換部３４へ出力する。また、デジタル処理部３３は、チャンネルマップの作成時に、受信信号の入力の有無を検知して、制御部３０へ通知する。
【００３２】
Ｄ／Ａ変換部３４は、デジタル処理部３３から入力されたデジタル形式の映像信号と音声信号とをアナログ形式の映像信号と音声信号とに変換して、出力部３５へ出力する。
【００３３】
出力部３５は、入力された映像信号をモニタ４へ出力するとともに、入力された音声信号をスピーカ５へ出力する。モニタ４は、映像信号に基づいて映像を表示し、スピーカ５は、音声信号に基づいて音声を放音する。
【００３４】
アナログ処理部３６は、切替部３２から受信信号が入力されると、受信信号を復調してアナログ信号形式の映像信号と音声信号とを取得して、出力部３５へ出力する。また、アナログ処理部３６は、チャンネルマップの作成時に、受信信号の入力の有無を検知して、制御部３０へ通知する。
【００３５】
次に、チャンネルマップの作成時の処理の詳細について、図４を参照して説明する。図４は、チャンネルマップの作成時の処理を示すフローチャートである。
【００３６】
図４に示すように、ＳＴＢ３は、作成するチャンネルマップの種類を示す操作信号の入力をリモコン６から受け付ける（Ｓ１０１）。
【００３７】
ＳＴＢ３は、全てのチャンネル（地上デジタルテレビ放送の全チャンネル、地上アナログテレビ放送の全チャンネル）に基づくチャンネルマップの作成を指示されると（Ｓ１０１：全て）、デジタル用テーブルに登録されている全チャンネルに対して、使用しているか否かを調べる（Ｓ１０２）。そして、ＳＴＢ３は、アナログ用テーブルに登録されている全チャンネルに対して、放送局が使用しているか否かを調べる（Ｓ１０３）。
【００３８】
また、ＳＴＢ３は、一部のアナログチャンネル（地上デジタルテレビ放送の全チャンネル、地上アナログテレビ放送の一部のチャンネル）に基づくチャンネルマップの作成を指示されると（Ｓ１０１：一部のチャンネル）、デジタル用テーブルに登録されている全チャンネルに対して、使用しているか否かを調べる（Ｓ１０４）。そして、ＳＴＢ３は、アナログ用テーブルに登録されているアナログ１ＣＨ及びアナログ２ＣＨ（ビデオ２が再生した映像信号及び音声信号（Ａ／Ｖ信号）を出力するチャンネル）に対して、放送局が使用しているか否かを調べる（Ｓ１０５）。
【００３９】
更に、ＳＴＢ３は、デジタルのみのチャンネル（地上デジタルテレビ放送の全チャンネル）に基づくチャンネルマップの作成を指示されると（Ｓ１０１：デジタルのみ）、デジタル用テーブルに登録されている全チャンネルに対して、使用しているか否かを調べる（Ｓ１０６）。
【００４０】
以上より、地上アナログテレビ放送から地上デジタルテレビ放送への移行時は、地上アナログテレビ放送と地上デジタルテレビ放送とが使用されている。このため、ＳＴＢ３は、アナログ用テーブルとデジタル用テーブルとに登録された全チャンネルを対象チャンネルとして、放送局が使用しているか否かを調べることで、使用しているチャンネルを漏れなくチャンネルマップに登録することができる。
【００４１】
また、地上デジタルテレビ放送への移行後で、且つＳＴＢ３がビデオ２とＲＦ接続されている場合（図１（Ａ）参照）には、地上デジタルテレビ放送のチャンネルが使用されており、且つビデオ２からの映像信号及び音声信号が、アナログ放送のアナログ１ＣＨ又はアナログ２ＣＨに出力されている。このため、ＳＴＢ３は、デジタル用テーブルに登録されている全チャンネルと、アナログ１ＣＨ及びアナログ２ＣＨと、を対象チャンネルとして使用しているか否かを調べることで、チャンネルマップの再生時間の短縮を図りつつ、ビデオ２が接続されているチャンネルをチャンネルマップに登録することができる。よって、地上デジタルテレビ放送への移行後であっても、ＲＦ接続されたビデオ２を使用することができ、ユーザの使い勝手を低下させることがない。
【００４２】
更に、地上デジタルテレビ放送への移行後で、且つＳＴＢ３がアンテナ１と接続されている場合（図１（Ｂ）参照）には、地上デジタルテレビ放送の番組のみを視聴できればよい。このため、ＳＴＢ３は、デジタル用テーブルに登録されている全チャンネルに対して使用しているか否かを調べることで、チャンネルマップの作成にかかる時間を大幅に短縮することができる。
【００４３】
よって、ＳＴＢ３は、地上デジタルテレビ放送への移行時、及び移行後においても、ユーザの使用環境や、地上アナログテレビ放送の有無に応じてチャンネルマップを作成することができる。
【００４４】
なお、上述の実施形態では、地上デジタルテレビ放送、地上アナログテレビ放送の順で使用しているチャンネルが存在するかを調べたが、地上アナログテレビ放送、地上デジタルテレビ放送の順で使用しているチャンネルが存在するか調べてもよい。また、チャンネルマップの生成後、デジタルチャンネルのみに対してリセット処理を行い、デジタルチャンネルのみ使用しているか否かを調べて登録し、チャンネルマップを再作成してもよい。更に、チャンネルマップの作成を指示されると、前回作成したチャンネルマップと同じ種類のチャンネルマップを再作成してもよい。
【００４５】
また、上述の実施形態では、リモコン６に操作部を設けたが、ＳＴＢ３に操作部を設けてもよい。
【００４６】
更に、上述の実施形態では、ＳＴＢ３にビデオ２が接続されている場合について説明した。しかし、ビデオ２は、ＳＴＢ３とＲＦ接続された機器（例えば、ゲーム機）であればよい。ゲーム機がＲＦ接続された場合、デジタル放送への移行後であっても、当該ゲーム機を使用することができる。
【００４７】
加えて、上述の実施形態では、チャンネルマップの作成時に、リセット処理の後、放送局が使用しているチャンネルを再登録した。しかし、チャンネルマップを再作成した後に（使用しているチャンネルを再登録した後に）、メモリに記憶しているチャンネルマップを今回再作成したチャンネルマップに更新してもよい。
【００４８】
また、上述の実施形態では、デジタル用テーブル及びアナログ用テーブルに、チャンネル毎の周波数帯域を記憶した。しかし、デジタル用テーブル及びアナログ用テーブルには、周波数帯域を通過させるためのチューナ３１の制御方法をチャンネル毎に記憶しておけばよい。
【符号の説明】
【００４９】
１…アンテナ，２…ビデオ，３…ＳＴＢ，３０…制御部，３１…チューナ，３２…切替部，３３…デジタル処理部，３４…Ｄ／Ａ変換部，３５…出力部，３６…アナログ処理部，４…モニタ，５…スピーカ，６…リモコン
【図１】
2010187154.tif 000003
【図２】
2010187154.tif 000004
【図３】
2010187154.tif 000005
【図４】
2010187154.tif 000006